(57)【特許請求の範囲】
【請求項１】
建物の開口部に配設されるシャッター装置のシャッターケースの底板の下部に、巻取機構を備えた巻取部を構成する巻取軸にスクリーンが巻装されるロールスクリーン装置が設けられた装置において、
前記ロールスクリーン装置は、前記建物の開口部の周縁部分に配設される枠体における左右一対の枠部にそれぞれ設けられ、前記建物の一方の壁面より突出する方向に延出して設けられる一対の腕部と、該一対の腕部の各先端側に掛け渡されて配設される前記巻取部と、を具備し、
前記腕部は、水平方向に長尺な矩形板状に形成され、各腕部の基端が前記シャッターケースの底板の下部に近接した前記枠部の左右の外側面に固定されているとともに、この基端に対して先端がシャッターケースの底板に沿うように水平方向に延出し、該腕部の先端に対しロールスクリーン装置の前記巻取部が着脱自在に設けられており、
前記建物の開口部の周縁部分に配設される枠体が、前記開口部に配設されるサッシ枠であることを特徴とするロールスクリーン装置。
【請求項２】
前記巻取部には、巻取軸に巻回されるスクリーンを収容する収容部が備えられることを特徴とする請求項１記載のロールスクリーン装置。
【請求項３】
前記一対の腕部は、前記枠部に対して、該枠部の長手方向に摺動移動自在とされることを特徴とする請求項１又は２に記載のロールスクリーン装置。
【請求項４】
前記枠部には、長手方向に連続する凹溝が形成され、該凹溝に沿って、前記腕部が摺動移動自在に構成されることを特徴とする請求項３記載のロールスクリーン装置。
【請求項５】
前記スクリーンを展張した状態で、該スクリーンの先端縁を保持する係止片が、前記枠部に配設されることを特徴とする請求項１乃至４のいずれかに記載のロールスクリーン装置。
【請求項６】
前記係止片は、前記枠部に対して、該枠部の長手方向に摺動移動自在とされることを特徴とする請求項５記載のロールスクリーン装置。
【請求項７】
前記枠体には、長手方向に連続する凹溝が形成され、該凹溝に沿って、前記係止片が摺動移動自在に構成されることを特徴とする請求項６記載のロールスクリーン装置。
【請求項８】
前記対向一対の枠部は、前記建物の開口部に配設されるシャッター装置のシャッターカーテンの昇降を案内するガイドレールであることを特徴とする請求項１乃至７のいずれかに記載のロールスクリーン装置。
【発明の詳細な説明】
【０００１】
【発明の属する技術分野】
本発明は、ビルや住宅などの建物の窓部などの開口部分に配設されるロールスクリーン装置に関するものである。
【０００２】
【従来の技術】
ビルや住宅などの建物の窓などの開口部分には、屋内における日除けなどを行うためのスクリーンが配設される。また、この窓などの開口部には、防雨、防風、防犯、遮音などの効果を得るためにシャッター装置が配設される。
そして、これら各機能を併せ持つように、建物開口部にシャッター装置を配設するとともに、そのシャッター装置にロールスクリーン装置を併設させる構造の装置が案出されており、特開平１１−１６６３７９号公報などに開示されている。この装置は、シャッター装置を構成し、シャッターカーテンを収納するシャッターケースの下面に位置する点検口の蓋板に、ロールスクリーン装置を一体に構成したものである。
また、その他にも、シャッターケース内にスクリーンの巻取部を内蔵させ、１つのケースよりシャッターカーテンとロールスクリーンとが繰り出し可能な構造のものもある。
【０００３】
【発明が解決しようとする課題】
しかしながら、上述した従来の構造による装置では、前者の構造の場合、シャッター装置の機構部分がシャッターケース内にあることから、その機構部分に対するメンテナンスなどの作業を行う場合に、シャッターケース下面の蓋板を取り外すが、ロールスクリーン装置と一体であることから、このロールスクリーン装置も取り外すこととなる。すなわち、重量のある蓋板となり、シャッターケースに対する取り外し、及び点検口閉鎖時の作業が、非常に煩雑になる欠点を有している。
【０００４】
また、後者の構造の場合では、１つのケース内に、２つの機構が組み込まれる構造となることから、その組立作業が煩雑となる欠点を有している。さらに、この後者の構造の場合では、シャッター装置とロールスクリーン装置とを一体化した構造であることから、既設のシャッター装置に対して追加構成させることでロールスクリーン装置を配設させることが困難であり、すなわち容易にロールスクリーン装置による機能を追加させることができないという欠点がある。
【０００５】
そこで本発明は、上記問題点を解消するために、ロールスクリーン装置を窓部などの建物開口部に容易に配設させることを可能とするとともに、この建物開口部にシャッター装置が配設されている場合にも、容易に追加構成させることができるロールスクリーン装置を提供することを目的としている。
【０００６】
【課題を解決するための手段】
次に、上記の課題を解決するための手段を、実施の形態に対応する図面を参照して説明する。
この発明のロールスクリーン装置は、建物の開口部２に配設されるシャッター装置のシャッターケース１１の底板１６の下部に、巻取機構を備えた巻取部２４を構成する巻取軸２５にスクリーン２６が巻装されるロールスクリーン装置２０が設けられた装置において、前記ロールスクリーン装置２０は、前記建物の開口部２の周縁部分に配設される枠体８における左右一対の枠部にそれぞれ設けられ、前記建物の一方の壁面より突出する方向に延出して設けられる一対の腕部２１，２１と、該一対の腕部２１，２１の各先端２１ｂ，２１ｂ側に掛け渡されて配設される前記巻取部２４と、を具備し、前記腕部２１，２１は、水平方向に長尺な矩形板状に形成され、各腕部２１，２１の基端２１ａ，２１ａが前記シャッターケース１１の底板の下部に近接した前記枠部の左右の外側面に固定されているとともに、この基端２１ａ，２１ａに対して先端２１ｂ，２１ｂがシャッターケース１１の底板に沿うように水平方向に延出し、該腕部２１，２１の先端２１ｂ，２１ｂに対しロールスクリーン装置２０の前記巻取部２４が着脱自在に設けられており、前記建物の開口部２の周縁部分に配設される枠体８が、前記開口部２に配設されるサッシ枠であることを特徴としている。
【０００７】
なお、前記巻取部２４には、巻取軸２５に巻回されるスクリーン２６を収容する収容部２２が備えられる構成としてもよく、また、前記巻取部２４が、前記一対の腕部２１に対し、着脱自在に設けられる構成としてもよい。
【０００８】
また、前記一対の腕部２１は、前記枠部８に対して、該枠部の長手方向に摺動移動自在とされる構成としてもよい。この摺動移動自在な構成としては、前記枠体８に、長手方向に連続する凹溝３１を形成し、該凹溝に沿って、前記腕部２１が摺動移動自在とする構成である。
【０００９】
さらに、前記スクリーン２６を展張した状態で、該スクリーン２６の先端縁を保持する係止片が、前記枠部に配設される構成としてもよい。
【００１０】
また、前記係止片２８は、前記枠部８に対して、該枠部の長手方向に摺動移動自在とされる構成としてもよい。この摺動移動自在な構成としては、前記枠体８に、長手方向に連続する凹溝３１を形成し、該凹溝に沿って、前記係止片２８が摺動移動自在とする構成である。
【００１１】
さらに、前記建物の開口部２の周縁部分に配設される枠体が、前記開口部に配設されるサッシ枠として構成してもよく、また、前記建物の開口部２に配設されるシャッター装置１を構成することとしてもよい。
【００１２】
【発明の実施の形態】
図１は本発明によるロールスクリーン装置の実施の形態を示す概略斜視図、図２は同ロールスクリーン装置の側断面図である。
このロールスクリーン装置２０は、住宅などの建物の窓などの開口部２に、予め配設されているシャッター装置１に対して取り付けられるものであり、このシャッター装置１のシャッターカーテン９と略同方向に移動することで開閉し、シャッターカーテン９開放時における屋内に射し込む陽射しなどを防ぐように、サッシ窓３の屋外側に配設されている。
【００１３】
この実施の形態におけるシャッター装置１は、図１及び図２に示すように、ビルや住宅などの建物の開口部としての窓部２に配設されているサッシ窓部分３における外壁側に、このサッシ窓３を囲繞するように配設されるとともに、建物外壁面４より突出するように配設されている。
サッシ窓３を構成する下枠５の下方には水切板６が水平となって配設され、またサッシ窓３を構成する左右の縦枠７の外方にはそれぞれ外枠８が垂直に配設される。これら左右外枠８には、シャッターカーテン９の昇降を案内する左右一対のガイドレール１０がそれぞれ一体となって設けられる。また上縁にはシャッターカーテン９を収容するシャッターケース１１が配設されている。
【００１４】
シャッターケース１１は、図１及び図２に示すように、略方形箱状に形成されており、その内部には、シャッターカーテン９を巻き取る巻取部１２が、その駆動源である電動モータ１３とともに設けられ、またその下面におけるサッシ窓３寄りには、略スリット状となるシャッターカーテン９の出入口１４が設けられている。このシャッターカーテン９の出入口１４の左右端部に位置してガイドレール１０が配設される。
【００１５】
また、このシャッターケース１１の下面は、シャッターカーテン出入口１４に沿い、この出入口１４より屋外側となる部分が、開口形成され、シャッターケース１１内部に配設される前記シャッター巻取部１２等に対してメンテナンス等を行うための点検用開口部１５が形成されている。
【００１６】
このシャッターケース１１の下面の点検用開口部１５には、前記シャッターカーテン９の出入口１４に沿うように、平板状の底板１６が脱着自在若しくは開閉自在に配設されている。
【００１７】
次に、本実施の形態のロールスクリーン装置２０について説明する。
このロールスクリーン装置２０は、腕部２１と、収容部としてのスクリーン収容部２２と、巻取部としてのスクリーン巻取部２４と、スクリーン２６と、係止片２８とで略構成されている。
【００１８】
腕部２１は、左右一対で構成され、本実施の形態では、水平方向にやや長尺な矩形板状に形成されている。各腕部２１は、長手方向一端の基端２１ａが、枠部としての左右の外枠８におけるシャッターケース１１に近接した上端近傍の外側面に固定されているとともに、この基端に対して長手方向他端の先端２１ｂが屋外側に水平方向へ延出し、シャッターケース１１の底板１６に沿うように設けられている。
【００１９】
スクリーン収容部２２は、シャッター装置１のシャッターカーテン９の左右幅長と略同尺とされる左右方向に長尺な方形箱状に形成されており、左右方向となる長手方向両端の左右側部が、前記左右腕部２１，２１の互いに対向する内側面に取り付けられ、すなわち左右の腕部２１，２１間に架け渡されるように配設される。
【００２０】
このスクリーン収容部２２の下面には、スリット状に開口されている後述するスクリーン２６の出入口２３が形成されている。
なお、この出入口２３には、図示しないがモヘアなどよりなる一対の当接片が、スクリーン収容部２２内に位置して、対向して設けられている。
【００２１】
次に、スクリーン巻取部２４は、回動自在な巻取軸としての巻取パイプ２５を備えており、スクリーン収容部２２を構成する左右側板に、両端が支持されて掛け渡されるように配設されているとともに、スクリーン２６を巻き取る方向に常に回動するようコイルバネ等が内蔵されている。
【００２２】
また、スクリーン２６は、基端縁が前記スクリーン巻取部２４の巻取パイプ２５の外周面に固定され、下縁となる先端縁にはこのスクリーン２６を開閉操作する際に掴持可能なパイプ２７が左右幅方向に連続して設けられている。
【００２３】
次に、係止片２８は、一対で構成され、本実施の形態では、図１に示すように、シャッター装置１を構成する左右ガイドレール１０の屋外側の外側面における下端近傍に位置してそれぞれ設けられている。
【００２４】
これら係止片２８は、アーム状にやや長尺に形成されており、ガイドレール１０の外側面に固定される基端に支軸（図示せず）を有しており、先端側が揺動自在とされるとともに、その揺動角度が垂下位置から斜め下向き位置間の略４５°間に設定されている。また、各係止片２８の先端には、逆Ｕ字状に湾曲形成されている係止凹部２９が形成されている。
【００２５】
そして、このロールスクリーン装置２０は、図１に示すように、建物の窓部分２に予め配設されるシャッター装置１のシャッターケース１１の下部に位置してスクリーン収容部２２が水平となって、このシャッターケース１１に沿うように配置される。また、ガイドレール１０に対して腕部２１を介し、この腕部２１の長さにて屋外側に張り出した位置となる。
【００２６】
配設されたロールスクリーン装置２０は、スクリーン２６の先端縁のパイプ２７を掴持し、下方に引き下げることで、建物窓部２を閉鎖することとなる。すなわち、スクリーン巻取部２４による巻取方向の付勢力に抗して下方に引き下げることでスクリーン２６による窓部２の遮蔽が行われる。
【００２７】
そして、パイプ２７の左右両端を、左右各係止片２８の係止凹部２９に下方よりそれぞれに掛ける。
両係止片２８の係止凹部２９に、パイプ２７の両端が係合した状態で掴んだ手による引き下げ力を緩める、または掴んだ手をパイプ２７より放すと、図２に示すように、スクリーン２６が巻取機構による巻取方向の付勢力にて上昇することとなるが、各係止片２８とパイプ２７とが係合状態となっており、これにより各係止片２８が支軸を介して垂下位置から屋外側の斜め方向に揺動される。
【００２８】
そして、図２に示すように、両係止片２８が進出状態となる位置で、両係止片２８は揺動が停止し、スクリーン２６が窓部２に対して展張状態となり、このスクリーン２６は左右両係止片２８にてその展張状態を保持される。
【００２９】
この展張状態においては、図２に示すように、窓面に対して所定の距離をおいて、この窓部２を遮蔽しており、スクリーン面が窓面に対して、略平行な垂直となる。
【００３０】
また、スクリーン２６を開放するには、スクリーン２６のパイプ２７を掴み持ち、左右両係止片２８より離脱させるが、スクリーン２６を下方に引き下げて、スクリーン２６のパイプ２７を係止片２８の係止凹部２９から離脱させて互いの係合状態を解く。
【００３１】
このとき、係止片２８は、斜め下向きとなっている進出状態から垂直な後退状態にとなる。なお、この支軸に付勢部材を備えさせることで、この付勢部材による付勢力にて回転し後退、すなわち垂直な状態に戻る。
【００３２】
その後、スクリーン２６はスクリーン巻取部２４の巻取機構により巻取パイプ２５に巻き取られ、これにより開放となる。
【００３３】
従ってこのように構成されたロールスクリーン装置２０によれば、シャッター装置１が、予め建物の開口部分である窓部２に配置されていても、そのシャッター装置１を構成する垂直な左右の外枠８に、一対の腕部２１を設けることにより、これら腕部２１間にロールスクリーン装置２０のスクリーン収容部２２を配置することで、建物の窓部２にはスクリーン２６の展張を行うことができ、この窓部２における日除け等を行うことが可能となる。
【００３４】
また、シャッター装置１とは別体構造であることから、シャッター装置１のメンテナンス等を行う際に、シャッターケース１１の内部を開放する場合、底板１６のみを取り外す若しくは開放させることでその作業を行うことを可能とし、シャッター装置１に対するメンテナンス作業性を煩雑なものとしない。
【００３５】
さらに、このロールスクリーン装置２０は、シャッター装置１とは別体構造であり、シャッター装置１の構造とロールスクリーン装置２０との構造とが互いに影響することはなく、このロールスクリーン装置２０を窓部２に取り付けるためには、一対の腕部２１のみが固定されることで、シャッター装置１若しくは建物開口である窓部２に対してロールスクリーン装置２０が追加構成できるものであり、容易に日除け機能を付加することが可能となる。すなわち、シャッター装置１もロールスクリーン装置２０もそれぞれ独立して製造を行うことができ、各々の生産性を低下させることがない。
【００３６】
なお、上述した実施の形態では、ロールスクリーン装置２０の構成として、一対の腕部２１と、スクリーン巻取部２４のスクリーン収容部２２とについて、この収容部２２が一対の腕部２１間に配設されることとして説明したが、このスクリーン収容部２２が、両腕部２１に対し、脱着自在な構成としてもよく、例えば、両腕部２１の先端に、スクリーン収容部２２の端部が嵌脱自在な受部などを構成させ、この受部にスクリーン収容部２２の端部を保持させる構成とすることで、容易に腕部２１に対してスクリーン収容部２２を脱着自在な構成とすることが可能となる。
この脱着自在なスクリーン収容部２２とすれば、スクリーン収容部２２自体のメンテナンスを行い易くすることが可能となるとともに、シャッター装置１のメンテナンス時に、ロールスクリーン装置２０が妨げとなる場合に、両腕部２１から取り外すことでメンテナンスの作業性を向上させることが可能となる。
【００３７】
また、上述した実施の形態では、一対の腕部２１の形状が矩形板状とされ、これら腕部２１の互いに対向する内側面にスクリーン収容部２２の両端が取り付けられる構成としたが、図３（ａ）に示すように、一対の腕部２１を略三角形状に形成し、これら腕部２１の対向する内側面にスクリーン収容部２２が取り付けられる構成としてもよく、また、図３（ｂ），（ｃ）に示すように、スクリーン収容部２２の両端を下方から支持するような構成としてもよい。さらには、図３（ｄ）に示すように、一対の腕部２１の下縁に吊下状態となるようにスクリーン収容部２２を取り付ける構造などとしてもよい。また、一対の腕部２１の各先端にスクリーン収容部２２の背面における両端近傍が取り付けられる構造や、一対の腕部２１の各先端がスクリーン収容部２２の背面における両端近傍に挿通され、これら腕部２１に支持されるようにスクリーン収容部２２が取り付けられる構造としてもよい。
【００３８】
また、上述した実施の形態では、各腕部２１の長さが、ガイドレール１０の前面（屋外側面）に対して延出し、腕部２１の先端２１ｂがシャッターケース１１の底板１６における略中央部分にロールスクリーン装置２０の収容部２２を位置させる構成としているが、この腕部２１の長さは、所望の長さに設定してよく、例えばやや短尺に形成し、シャッタカーテン９に近接してスクリーン２６が展張される構成や、長尺に形成してシャッターカーテン９との間隔を十分に採りスクリーン２６が展張できる構成などとしてもよい。
【００３９】
さらに、上述した実施の形態では、一対の腕部２１の固定される箇所が左右の外枠８とされる例について述べたが、シャッター装置１を構成する左右ガイドレール１０に固定する構成としてもよく、また、建物開口２に配設されるサッシ窓３の一対の枠体に固定されることとしてもよい。
【００４０】
また、上述した実施の形態では、スクリーン２６を展張状態で保持する構成として、左右ガイドレール１０の外側面に配設されるアーム状構造の一対の係止片２８とした例について示したが、これら係止片２８の形状や構造については、これに限定されるものではなく、略鉤状に形成される短尺な係止片などとしてもよい。
さらに、上述した実施の形態では、係止片２８が左右一対で構成され、スクリーン２６先端縁のパイプ２７の左右両端を掛けることで、スクリーン２６を展張状態とする例について示したが、この係止片２８は、単一な構成としてもよく、すなわち、スクリーン収容部２２の配設される一側に対向する側縁部の略中央に、この係止片を配設することとし、スクリーン２６の先端縁の略中央に、この係止片が掛かる構成を設けることで、１つの係止片にてスクリーン２６を展張状態とすることが可能となる。
【００４１】
さらに、上述した実施の形態では、左右一対の腕部２１が、シャッターケース１１の近傍となる外枠８の上端に固定され、一対の係止片２８がガイドレール１０の下端近傍に配設される例について述べたが、これら腕部２１及び係止片２８は、外枠８などの一対の枠部における長手方向の所望の位置に固定することとしてもよく、建物の窓部２に対して、上述のようにスクリーン２６を全面に展張させてもよく、また、窓部２の上半分のみや下半分のみ、或いは中途部分のみなど、窓部２の一部にのみスクリーン２６を展張させる構成としてもよい。
【００４２】
このような外枠８などの枠部に対して所望の位置に腕部２１及び係止片２８を固定可能な構成とする場合には、例えば、図４及び図５に示すように、枠部としての外枠８の外側に長手方向に連続する溝３１を形成させ、この溝３１に沿って腕部２１及び係止片２８を移動可能とする。
この構成を詳述すると、外枠８の外側に奥拡がりな前後一対の溝３１を形成し、各溝３１内には板ナット３２を配置し、これら板ナット３２に対してネジやボルト３３を用いて腕部２１及び係止片２８の各基部を取り付ける。腕部２１及び係止片２８のそれぞれは、例えば図４，５に示すように、略Ｌ字状に形成し、特に係止片２８は図５に示すようにＬ字状の基部２８ａを備え、このＬ字状基部２８ａに係止片本体２８ｂが延出するように構成させる。そして、これらネジ（ボルト）３３を緩めた状態で、腕部２１と係止片基部２８ａとを任意の位置にスライド移動させ、位置が決定したところでネジ（ボルト）３３を締め、その位置に固定する。
また、その他の構成としては、上記同様に凹溝を外枠に形成するとともに、この凹溝内に等間隔にネジ穴を予め穿設しておき、凹溝に嵌入する凸部を腕部２１及び係止片２８の各基部に形成させて、この凸部を凹溝内にてスライド自在とし、固定させる任意の位置でネジやボルトを用いて固定させる。
なお、これらの構成において、腕部２１及び係止片２８の固定される箇所以外の凹溝３１が表出状態となるので、帯状のシール材などを嵌め込み、この凹溝３１を覆い隠すように構成させてもよい。また、凹溝３１は、上記の例では前後一対の構成としたが、各枠体に１つの凹溝としてもよく、また複数の凹溝として構成してもよく、さらには、板ナット３２に対するネジ（ボルト）３３の本数なども複数本等として構成してもよい。
【００４３】
また、上述した実施の形態では、左右一対の腕部２１及び係止片２８が、外枠８など枠体に対して固定される例について述べたが、これら腕部２１及び係止片２８は、外枠８などの枠部に対して、この枠部の長手方向、例えば、上下方向に、摺動移動自在な構造とし、電動モータなどの駆動源にて、それぞれが枠部８に沿って移動する構成としてもよい。
このような構成とすれば、窓部２における遮蔽したい部分にのみ、その都度スクリーン２６を展張状態とすることが可能となり、プライバシーの保護や日除けなど、場合に応じてスクリーン２６の展張位置を変更可能となる。
【００４４】
また、上述した実施の形態では、ロールスクリーン装置２０を構成するスクリーン巻取部２４の構造を、常にスクリーン２６を巻き取る機構を内蔵し、一対の係止片２８をシャッター装置１のガイドレール１０に設けた構成として、これら係止片２８にスクリーン先端縁のパイプ２７を係合させることで、スクリーン２６の展張状態を維持させる構成とされているが、スクリーン２６を引き下げ、所望の位置にて停止させると、巻取力が一時停止して、スクリーン２６の閉鎖状態を保つクラッチ機構を備えた機構を備えたスクリーン巻取部にて構成されるものとしてもよい。このような構成の場合には、係止片を具備しない構成としてもよい。
【００４５】
また、上述した実施の形態では、建物の開口部である窓部２に対して、シャッターカーテン２６の収納部分であるシャッターケース１１を窓部２上縁に配置し、また、このシャッターケース１１の近傍にスクリーン収容部２２を配置して、すなわち、シャッター装置１のシャッターカーテン９及びロールスクリーン装置２０のスクリーン２６が、窓部２の上縁より下降することで窓開口部分を閉鎖する構造とし、昇降方向を開閉方向とする構成としたが、これらシャッター装置１及びロールスクリーン装置２０の開閉方向については、上記昇降（上下）方向に限ることはなく、左右方向などとしてもよく、例えば、建物開口の下縁部分にスクリーン収容部が位置するような構成とし、スクリーンが上昇することにより、建物開口を閉鎖する構成や、スクリーン収容部を垂直に配置し、左右方向にスクリーンを開閉させる構成としてもよい。
さらに、シャッターカーテン９の開閉方向とスクリーン２６の開閉方向とが、それぞれ同方向とされなくともよく、例えば、シャッターカーテン９が上下方向を開閉方向とし、スクリーン２６が左右方向を開閉方向とする構成としてもよい。
【００４６】
【発明の効果】
以上説明したように本発明によるロールスクリーン装置によれば、窓部分などの建物の開口部の周縁部分に配設される枠体の対向一対の枠部に、それぞれ腕部が延出するように配設される構成としたので、これら腕部に掛け渡されるように巻取部が配設され、これにより建物開口部に対し、スクリーンの展張が行え、すなわち、この開口部に対し、日除け等を行うことが可能となる。
【００４７】
また、この建物開口部に、シャッター装置が予め配置されている場合であっても、そのシャッター装置を構成する垂直な左右の外枠に、一対の腕部を設けることにより、これら腕部間にロールスクリーン装置の巻取部を配置することで、建物の窓部にはスクリーンの展張を行うことができ、この窓部における日除け等を行うことが可能となる。そして、このロールスクリーン装置によれば、シャッター装置とは別体構造であることから、シャッター装置のメンテナンス等を行う際に、シャッターケースの内部を開放する場合、底板のみを取り外す若しくは開放させることでその作業を行うことを可能とし、シャッター装置に対するメンテナンス作業性を煩雑なものとしない。
【００４８】
さらに、このロールスクリーン装置は、シャッター装置等とは別体の構造であることから、シャッター装置の構造とロールスクリーン装置との構造とが互いに影響することはなく、このロールスクリーン装置を窓部に取り付けるためには、一対の腕部のみが固定されることで、シャッター装置若しくは建物開口である窓部に対してロールスクリーン装置が追加構成できるものであり、容易に日除け機能を付加することが可能となる。すなわち、シャッター装置もロールスクリーン装置もそれぞれ独立して製造を行うことができ、各々の生産性を低下させることがない。
【００４９】
また、本発明のロールスクリーン装置によれば、巻取部を腕部より脱着自在な構成とすることで、メンテナンスを行い易くするとともに、このロールスクリーン装置が取り付けられる部分に対してのメンテナンスが行われる場合であっても、これを取り外すことが可能であることから、その被取付部分に対するメンテナンス性も良好となる。
【００５０】
さらに、本発明のロールスクリーン装置では、腕部を、枠体に形成される凹溝に沿って摺動移動自在とする構成とされることで、この枠体に対する腕部の取付位置を所望の位置とすることができ、かつ、所望の位置に変更可能となり、建物開口に対するスクリーンの展張状態を、目的に応じて構成させることができる。
【図面の簡単な説明】
【図１】本発明によるロールスクリーン装置の実施の形態を示す概略斜視図
【図２】同ロールスクリーン装置の側断面図
【図３】他の実施の形態のロールスクリーン装置を構成する腕部を示す斜視図
【図４】他の実施の形態のロールスクリーン装置の平断面図
【図５】他の実施の形態のロールスクリーン装置の平断面図
【符号の説明】
１…シャッター装置
２…開口部（窓部）
８…枠部（外枠）
２０…ロールスクリーン装置
２１…腕部
２２…収容部（スクリーン収容部）
２４…巻取部（スクリーン巻取部）
２５…巻取軸（巻取パイプ）
２６…スクリーン
２８…係止片
３１…溝
【図１】
0004423751.tif 000002
【図２】
0004423751.tif 000003
【図３】
0004423751.tif 000004
【図４】
0004423751.tif 000005
【図５】
0004423751.tif 000006